(57)【要約】      （修正有）【課題】ヘッドに傷が付くことを抑制しつつ、複数のゴルフクラブを容易に携行することができるゴルフクラブ携行用具を提供する。【解決手段】ゴルフクラブ携行用具１は、２以上のゴルフクラブを束ねるシート状のクラブホルダ１０と、クラブホルダ１０に取り付けられ、ゴルフクラブのシャフトの軸方向に延びる形状の取っ手２０とを備える。クラブホルダ１０には、面ファスナー１４及びこの面ファスナー１４と係合する面ファスナーが取っ手２０を挟んでシャフトの周方向に配置され、面ファスナー１４が、取っ手２０と同じ側の面に設けられ、面ファスナーが、取っ手２０と反対側の面に設けられている。【選択図】図１
0003204792.tif 000002
【実用新案登録請求の範囲】
【請求項１】
２以上のゴルフクラブを束ねるシート状のクラブホルダと、
上記クラブホルダに取り付けられ、上記ゴルフクラブのシャフトの軸方向に延びる形状の取っ手とを備え、
上記クラブホルダには、第１面ファスナー及びこの第１面ファスナーと係合する第２面ファスナーが上記取っ手を挟んで上記シャフトの周方向に配置され、
上記第１面ファスナーは、上記取っ手と同じ側の面に設けられ、
上記第２面ファスナーは、上記取っ手と反対側の面に設けられていることを特徴とするゴルフクラブ携行用具。
【請求項２】
上記クラブホルダは、上記軸方向を長手方向とする矩形状の取っ手配置部と、上記取っ手配置部の一方の長辺に隣接する第１保持部と、上記取っ手配置部の他方の長辺に隣接する第２保持部とからなり、
上記取っ手配置部は、前端側に上記取っ手の一端が配置され、後端側に上記取っ手の他端が配置され、
上記第１保持部には、上記第１面ファスナーが配置され、
上記第２保持部は、上記軸方向に延びる側辺の中央部を上記取っ手配置部に向かって凹ませることにより、上記周方向にそれぞれ張り出した前側結束部及び後側結束部を有し、少なくとも上記前側結束部及び上記後側結束部には、上記第２面ファスナーが配置されていることを特徴とする請求項１に記載のゴルフクラブ携行用具。
【請求項３】
上記第２面ファスナーは、上記前側結束部の先端側領域及び上記後側結束部の先端側領域に配置され、これらの先端側領域以外の領域には配置されていないことを特徴とする請求項２に記載のゴルフクラブ携行用具。
【請求項４】
上記取っ手は、一端が、上記周方向から見て上記前側結束部と重複する位置に固定され、他端が、上記周方向から見て上記後側結束部と重複する位置に固定されていることを特徴とする請求項２に記載のゴルフクラブ携行用具。
【考案の詳細な説明】
【技術分野】
【０００１】
本考案は、ゴルフクラブ携行用具に係り、さらに詳しくは、２以上のゴルフクラブを携行する際に使用されるゴルフクラブ携行用具に関する。
【背景技術】
【０００２】
ゴルフのプレーに使用される道具には、ゴルフクラブ、ゴルフボール、グローブ等があり、これらの道具は、キャディバッグに収納して運搬される。キャディバッグは、ゴルファーがゴルフ場で移動する際に使用するには、大きくて重く、不便だった。一方、数本のゴルフクラブを収容する収容用具には、ゴルフクラブケースがある。ゴルフクラブケースは、複数のゴルフクラブを収容する袋体からなり、キャディバッグに比べて軽く、ゴルフ場での移動に便利である。
【考案の概要】
【考案が解決しようとする課題】
【０００３】
しかしながら、ゴルフクラブケースでは、複数のゴルフクラブが袋体内に収容されるため、携行時にゴルフクラブ同士が衝突し、ゴルフクラブのヘッドに傷が付いてしまうことがあった。また、ゴルフクラブケースでは、ゴルフクラブと同程度の長さが必要であるため、ゴルフ場まで移動する際に携行するにはかさ張るという問題もあった。
【０００４】
本考案は、上記事情に鑑みてなされたものであり、ヘッドに傷が付くことを抑制しつつ、複数のゴルフクラブを容易に携行することができるゴルフクラブ携行用具を提供することを目的とする。特に、ヘッドやグリップをぐらつかせることなく、複数のゴルフクラブを強固に保持することができるゴルフクラブ携行用具を提供することを目的とする。
【０００５】
また、本考案は、ゴルフクラブに対する着脱が容易であり、携行時にかさ張らないゴルフクラブ携行用具を提供することを目的とする。
【課題を解決するための手段】
【０００６】
本考案の第１の態様によるゴルフクラブ携行用具は、２以上のゴルフクラブを束ねるシート状のクラブホルダと、上記クラブホルダに取り付けられ、上記ゴルフクラブのシャフトの軸方向に延びる形状の取っ手とを備える。上記クラブホルダには、第１面ファスナー及びこの第１面ファスナーと係合する第２面ファスナーが上記取っ手を挟んで上記シャフトの周方向に配置され、上記第１面ファスナーが、上記取っ手と同じ側の面に設けられ、上記第２面ファスナーが、上記取っ手と反対側の面に設けられている。
【０００７】
このゴルフクラブ携行用具を使用すれば、シャフトの軸方向に延びる形状の取っ手を把持することにより、２以上のゴルフクラブを束ねた状態で容易に携行することができる。特に、第１面ファスナー及び第２面ファスナーを係合させることにより、ゴルフクラブの本数にかかわらず、一定レベル以上の結束力を確保することができるため、ヘッドやグリップをぐらつかせることなく、複数のゴルフクラブを強固に保持することができる。また、クラブホルダによって複数のゴルフクラブが強固に保持されるため、携行時におけるゴルフクラブ同士の衝突を抑制することができる。
【０００８】
さらに、ゴルフクラブの束に対し、取っ手が取り付けられた部位を押し当てながら第１面ファスナーが設けられた部位と第２面ファスナーが設けられた部位とを順に互いに反対側から巻き付けることにより、クラブホルダを装着することができる。このため、ゴルフクラブに対する着脱が容易である。また、このゴルフクラブ携行用具は、シート状のクラブホルダと取っ手とで構成されるため、携行時にかさ張らない。
【０００９】
本考案の第２の態様によるゴルフクラブ携行用具は、上記構成に加え、上記クラブホルダが、上記軸方向を長手方向とする矩形状の取っ手配置部と、上記取っ手配置部の一方の長辺に隣接する第１保持部と、上記取っ手配置部の他方の長辺に隣接する第２保持部とからなり、上記取っ手配置部が、前端側に上記取っ手の一端が配置され、後端側に上記取っ手の他端が配置され、上記第１保持部には、上記第１面ファスナーが配置され、上記第２保持部が、上記軸方向に延びる側辺の中央部を上記取っ手配置部に向かって凹ませることにより、上記周方向にそれぞれ張り出した前側結束部及び後側結束部を有し、少なくとも上記前側結束部及び上記後側結束部には、上記第２面ファスナーが配置されているように構成される。
【００１０】
この様な構成によれば、第２保持部をゴルフクラブの束に巻き付けて第２面ファスナーを第１面ファスナーと係合させる際に、第１保持部上における周方向の位置を前側結束部及び後側結束部の間で容易に異ならせることができる。このため、前側結束部及び後側結束部について、個別に独立してゴルフクラブを結束することができる。また、側辺の中央部を凹ませない場合に比べ、弱い力で前側結束部及び後側結束部を第１保持部から取り外すことができる。
【００１１】
本考案の第３の態様によるゴルフクラブ携行用具は、上記構成に加え、上記第２面ファスナーが、上記前側結束部の先端側領域及び上記後側結束部の先端側領域に配置され、これらの先端側領域以外の領域には配置されていないように構成される。
【００１２】
この様な構成によれば、第２面ファスナーが前側結束部及び後側結束部の全体に配置される場合に比べ、より弱い力で前側結束部及び後側結束部を第１保持部から取り外すことができる。
【００１３】
本考案の第４の態様によるゴルフクラブ携行用具は、上記構成に加え、上記取っ手の一端が、上記周方向から見て上記前側結束部と重複する位置に固定され、他端が、上記周方向から見て上記後側結束部と重複する位置に固定されているように構成される。
【００１４】
この様な構成によれば、取っ手を介して取っ手配置部に付加された応力が前側結束部及び後側結束部に分散されるため、ゴルフクラブの束に対してクラブホルダが外れ難くすることができる。
【考案の効果】
【００１５】
本考案によるゴルフクラブ携行用具では、第１面ファスナー及び第２面ファスナーを係合させることにより、ゴルフクラブの本数にかかわらず、一定レベル以上の結束力を確保することができるため、ヘッドやグリップをぐらつかせることなく、複数のゴルフクラブを強固に保持することができる。従って、携行時におけるゴルフクラブ同士の衝突を抑制することができ、ヘッドに傷が付くことを抑制しつつ、複数のゴルフクラブを容易に携行することができる。
【００１６】
また、本考案によれば、ゴルフクラブの束に対し、取っ手が取り付けられた部位を押し当てながら第１面ファスナーが設けられた部位と第２面ファスナーが設けられた部位とを順に互いに反対側から巻き付けることにより、クラブホルダを装着することができるため、ゴルフクラブに対する着脱が容易であり、携行時にかさ張らないゴルフクラブ携行用具を提供することができる。
【図面の簡単な説明】
【００１７】
【図１】本考案の実施の形態によるゴルフクラブ携行用具１の一構成例を示した平面図である。
【図２】図１のゴルフクラブ携行用具１の断面図である。
【図３】クラブホルダ１０の装着状態の一例を示した図である。
【図４】図１のゴルフクラブ携行用具１の使用方法の一例を示した図である。
【図５】クラブホルダ１０の装着状態の他の例を示した図である。
【考案を実施するための形態】
【００１８】
以下、本考案の実施の形態について、図面を参照して説明する。本明細書では、便宜上、ゴルフクラブのシャフトの軸方向を前後方向として説明するが、本考案によるゴルフクラブ携行用具の使用時における姿勢や向きを限定するものではない。
【００１９】
＜ゴルフクラブ携行用具１＞
図１は、本考案の実施の形態によるゴルフクラブ携行用具１の一構成例を示した平面図である。図中には、クラブホルダ１０の外側の面が示されている。図２は、図１のゴルフクラブ携行用具１の断面図であり、ゴルフクラブ携行用具１をＡ−Ａ切断線により切断した場合の切断面が示されている。図３は、クラブホルダ１０の装着状態の一例を示した図である。
【００２０】
ゴルフクラブ携行用具１は、２以上のゴルフクラブ５を携行する際に使用されるゴルフ用具である。例えば、ゴルフクラブ携行用具１は、４本又は５本のゴルフクラブ５を束ねた状態で携行することができる。ゴルフクラブ５は、ヘッド５１、シャフト５２及びグリップ５３からなる。
【００２１】
このゴルフクラブ携行用具１は、複数のゴルフクラブ５を束ねるクラブホルダ１０と、クラブホルダ１０に取り付けられた取っ手２０とにより構成される。取っ手２０は、持ち運び用の持ち手部材であり、シャフト５２の軸方向に延びる形状を有する。取っ手２０を把持することにより、複数のゴルフクラブ５を束ねた状態で容易に携行することができる。また、取っ手２０がシャフト５２の軸方向に延びる形状であるため、携行時にゴルフクラブ５が前後にぐらつくのを容易に防止することができる。
【００２２】
クラブホルダ１０は、内側の面を巻き付けることによってゴルフクラブ５の束を保持するシート状の保持部材である。クラブホルダ１０には、ゴルフクラブ５に対して着脱可能に装着するための面ファスナー１４及び１５が設けられている。
【００２３】
面ファスナー１４及び１５は、互いに面状に着脱することができる係合部材である。例えば、面ファスナー１４は、ループ面からなり、面ファスナー１５は、ループ面と係合するフック面からなる。この面ファスナー１４及び１５は、取っ手２０を挟んでシャフト５２の周方向に配置されている。
【００２４】
面ファスナー１４は、クラブホルダ１０における取っ手２０と同じ側の面、すなわち、外側の面に設けられている。一方、面ファスナー１５は、クラブホルダ１０における取っ手２０と反対側の面、すなわち、内側の面に設けられている。
【００２５】
このクラブホルダ１０は、第１保持部１１、取っ手配置部１２及び第２保持部１３からなり、第１保持部１１、取っ手配置部１２及び第２保持部１３がこの順序で配置されている。第１保持部１１、取っ手配置部１２及び第２保持部１３は、前後方向の長さが互いに一致している。
【００２６】
取っ手配置部１２は、シャフト５２の軸方向、すなわち、前後方向を長手方向とする矩形状の領域からなり、前端側に取っ手２０の前端が配置され、後端側に取っ手２０の後端が配置されている。
【００２７】
第１保持部１１は、取っ手配置部１２の左側の長辺２に隣接し、かつ、長辺２から左方に延伸する矩形状の領域からなり、外側の面全体に面ファスナー１４が形成されている。第２保持部１３は、取っ手配置部１２の右側の長辺３に隣接し、かつ、長辺３から右方に延伸する形状の領域からなる。
【００２８】
第２保持部１３には、クラブホルダ１０の前側と後側とで個別に独立してゴルフクラブ５を結束することができるように、前側結束部１３１及び後側結束部１３２が設けられている。
【００２９】
前側結束部１３１及び後側結束部１３２は、シャフト５２の軸方向に延びる側辺４の中央部を取っ手配置部１２に向かって凹ませることにより、周方向にそれぞれ張り出した領域からなる。前側結束部１３１は、クラブホルダ１０の前側に設けられ、後側結束部１３２は、クラブホルダ１０の後側に設けられている。
【００３０】
面ファスナー１５は、少なくとも前側結束部１３１及び後側結束部１３２に配置される。この例では、より弱い力で前側結束部１３１及び後側結束部１３２を第１保持部１１から取り外すことができるようにするために、面ファスナー１５は、前側結束部１３１の先端側領域と、後側結束部１３２の先端側領域とに配置され、これらの先端側領域以外の領域には配置されていない。
【００３１】
取っ手２０は、手で握るための把持部２１と、クラブホルダ１０に取り付けるための取付部２２とにより構成される。取付部２２は、把持部２１の前端と後端とにそれぞれ設けられている。
【００３２】
把持部２１の前端に設けられた取付部２２は、シャフト５２の周方向から見て、前側結束部１３１と重複する位置に固定されている。すなわち、前端側の取付部２２は、前側結束部１３１と前後方向の位置が重なっている。
【００３３】
一方、把持部２１の後端に設けられた取付部２２は、シャフト５２の周方向から見て、後側結束部１３２と重複する位置に固定されている。すなわち、後端側の取付部２２は、後側結束部１３２と前後方向の位置が重なっている。この様な構成を採用することにより、取っ手２０を介して取っ手配置部１２に付加された応力が前側結束部１３１と後側結束部１３２とに分散されるため、ゴルフクラブ５の束に対してクラブホルダ１０が外れ難くすることができる。
【００３４】
取付部２２には、ショルダーストラップ（図示せず）を着脱可能に取り付けるための取付具２３が設けられている。この取付具２３は、三角形状の環状部材からなり、把持部２１の前端側の取付部２２と把持部２１の後端側の取付部２２とにそれぞれ取り付けられている。ショルダーストラップの両端をそれぞれ取付具２３に装着し、ショルダーストラップを肩に掛ければ、ゴルフクラブ携行用具１を手で持たなくても移動ができて便利である。
【００３５】
次に、クラブホルダ１０を構成する生地１０ａ〜１０ｄ及びクッション材１６について、図２を参照して以下に説明する。生地１０ａ及び１０ｂは、いずれも表生地であり、それぞれクラブホルダ１０の外側の面を形成している。例えば、生地１０ａ及び１０ｂは、ナイロン製の布からなる。
【００３６】
これらの生地１０ａ及び１０ｂは、腰がある取っ手配置部１２を形成するために、取っ手配置部１２において互いに重畳されている。すなわち、生地１０ａは、第１保持部１１の左端から取っ手配置部１２の右端まで延伸している。一方、生地１０ｂは、取っ手配置部１２の左端から第２保持部１３の右端まで延伸している。取っ手配置部１２では、生地１０ａが生地１０ｂよりも外側、すなわち、図２の紙面における上側に配置されている。
【００３７】
生地１０ｃ及び１０ｄは、いずれも裏生地であり、それぞれクラブホルダ１０の内側の面を形成している。例えば、生地１０ｃ及び１０ｄは、ナイロン製の布からなる。これらの生地１０ｃ及び１０ｄについても、生地１０ａ及び１０ｂと同様に、取っ手配置部１２において互いに重畳されている。すなわち、生地１０ｃは、第１保持部１１の左端から取っ手配置部１２の右端まで延伸している。一方、生地１０ｄは、取っ手配置部１２の左端から第２保持部１３の右端まで延伸している。取っ手配置部１２では、生地１０ｄが生地１０ｃよりも内側、すなわち、図２の紙面における下側に配置されている。
【００３８】
クッション材１６は、ゴルフクラブ５に傷が付くのを防止するために、取っ手配置部１２に設けられた平板状の緩衝材である。例えば、クッション材１６は、ウレタンなどの発泡樹脂からなる。このクッション材１６は、生地１０ｂと生地１０ｃとの間に配置されている。
【００３９】
なお、クッション性を有する生地を生地１０ａ〜１０ｄとして用いるような構成であっても良い。また、クッション材１６を第１保持部１１、取っ手配置部１２及び第２保持部１３の全体に設け、取っ手配置部１２における厚さを第１保持部１１及び第２保持部１３よりも厚くするような構成であっても良い。
【００４０】
次に、クラブホルダ１０をゴルフクラブ５の束に装着した状態について、図３を参照して以下に説明する。クラブホルダ１０は、ゴルフクラブ５の束に対し、取っ手配置部１２を押し当てながら第１保持部１１と第２保持部１３とを順に互いに反対側から巻き付けることにより、装着される。クラブホルダ１０の装着時に、面ファスナー１４及び１５を係合させることにより、ゴルフクラブ５の本数にかかわらず、一定レベル以上の結束力を確保することができる。
【００４１】
このため、ヘッド５１やグリップ５３をぐらつかせることなく、複数のゴルフクラブ５を強固に保持することができる。また、クラブホルダ１０によって複数のゴルフクラブ５が強固に保持されるため、携行時におけるゴルフクラブ５同士の衝突を抑制することができる。
【００４２】
さらに、第２保持部１３をゴルフクラブ５の束に巻き付けて面ファスナー１５を面ファスナー１４と係合させる際に、第１保持部１１上における周方向の位置を前側結束部１３１と後側結束部１３２との間で容易に異ならせることができる。このため、前側結束部１３１及び後側結束部１３２について、個別に独立してゴルフクラブ５を結束することができる。
【００４３】
ゴルフクラブ５のシャフト５２は、グリップ５３側の太さに比べ、ヘッド５１側の太さが細くなっている。このため、複数のゴルフクラブ５が整然と束ねられた状態であっても、クラブホルダ１０の前側と後側とでは、結束物の径が大きく異なる。
【００４４】
本実施の形態によるゴルフクラブ携行用具１では、面ファスナー１５を面ファスナー１４と係合させる際の第１保持部１１上の位置を前側結束部１３１及び後側結束部１３２の間で容易に異ならせることができるため、クラブホルダ１０の前側と後側とにおける径の調整がし易い。
【００４５】
図４は、図１のゴルフクラブ携行用具１の使用方法の一例を示した図であり、クラブホルダ１０をゴルフクラブ５の束に装着する際の様子が示されている。図中の（ａ）には、ゴルフクラブ５の束に対し、取っ手配置部１２の内側の面を押し当てた状態が示されている。
【００４６】
図中の（ｂ）には、取っ手配置部１２の内側の面が押し当てられたゴルフクラブ５の束に対し、第１保持部１１と第２保持部１３とを交互に互いに反対側から巻き付けた状態が示されている。第１保持部１１と第２保持部１３とを順に巻き付けるだけでクラブホルダ１０を装着することができるため、ゴルフクラブ５に対する着脱が極めて容易である。また、このゴルフクラブ携行用具１は、シート状のクラブホルダ１０と取っ手２０とで構成されるため、キャディバッグやゴルフクラブケースに比べ、小型及び軽量であり、携行時にかさ張らない。
【００４７】
図５は、クラブホルダ１０の装着状態の他の例を示した図である。複数のゴルフクラブ５が雑然と束ねられた状態では、クラブホルダ１０の前側と後側との間において、結束物の径の差がさらに大きくなる。
【００４８】
本実施の形態によるゴルフクラブ携行用具１では、この様な場合であっても、前側結束部１３１及び後側結束部１３２により、クラブホルダ１０の前側と後側とで径を個別に調整することにより、ヘッド５１やグリップ５３をぐらつかせることなく、ゴルフクラブ５の束を強固に保持することができる。
【符号の説明】
【００４９】
１      ゴルフクラブ携行用具
１０    クラブホルダ
１０ａ〜１０ｄ  生地
１１    第１保持部
１２    取っ手配置部
１３    第２保持部
１３１  前側結束部
１３２  後側結束部
１４，１５  面ファスナー
１６    クッション材
２０    取っ手
２１    把持部
２２    取付部
２３    取付具
２，３  長辺
４      側辺
５      ゴルフクラブ
５１    ヘッド
５２    シャフト
５３    グリップ
【図１】
0003204792.tif 000003
【図２】
0003204792.tif 000004
【図３】
0003204792.tif 000005
【図４】
0003204792.tif 000006
【図５】
0003204792.tif 000007